(57)【要約】【課題】  従来の冷蔵庫の扉体では下ヒンジ板で回動委する扉の自重を受けるため、扉が重いと自重によって回動時に応力が作用しするため、下ヒンジのヒンジシャフトを嵌合している部分が変形したり、破損して扉にガタツキが生じる問題があった。この発明は上記の問題を解決するもので、下ヒンジのヒンジシャフトと扉との結合強度を向上させるようにした冷蔵庫の扉体を提供することを目的とする。【解決手段】  冷蔵庫は本体５の前方開口に上ヒンジ２０と下ヒンジ２１とで扉１１を回動自在に枢支し、前記開口を開閉自在に閉塞する。下ヒンジ２１のヒンジシャフト２３はコ字状の止め板２４に係合されている。  【選択図】  図３  
2004239607.tif 000002
【特許請求の範囲】
【請求項１】
冷蔵庫等の本体の前方開口に上下に配置したヒンジ板のヒンジシャフトにて回動自在に枢支され、前記開口を開閉自在に閉塞する内部に発泡断熱材を充填した扉を設けた冷蔵庫等の扉体において、前記ヒンジシャフトには発泡断熱材内に埋め込まれる断面コ字状の止め板が嵌合されていることを特徴とする冷蔵庫の扉体。
【発明の詳細な説明】
【技術分野】
【０００１】
この発明は冷蔵庫の前面を開閉自在に閉塞すると共に、ヒンジにて枢支された冷蔵庫の扉体に関する。
【背景技術】
【０００２】
従来のこの種冷蔵庫は例えば特許文献１に記載されているように、前方に開口した断熱箱体からなる本体内を仕切壁によって上下に仕切り、上方を冷蔵室、下方を冷凍室とするとともに、各室の開口は断熱扉によってそれぞれ開閉自在に閉塞している。
【０００３】
そして、本体天面の左右何れか一側には上ヒンジ板が取り付けられるとともに、仕切壁前面の一側には下ヒンジ板がそれぞれ取り付けられており、冷蔵室の扉の一側を上下のヒンジ板のヒンジシャフト（回転軸）によって回動自在に枢支する構造としている。
【特許文献１】特開平８−２１９６２７号公報
【発明の開示】
【発明が解決しようとする課題】
【０００４】
しかしながら、従来の冷蔵庫の扉体では下ヒンジ板で回動する扉の自重を受けるため、扉が重いと自重によって回動時に応力が作用するため、下ヒンジのヒンジシャフトを嵌合している部分が変形したり、破損して扉にガタツキが生じる問題があった。
【０００５】
この発明は上記の問題を解決するもので、下ヒンジのヒンジシャフトと扉との結合強度を向上させるようにした冷蔵庫の扉体を提供することを目的とする。
【課題を解決するための手段】
【０００６】
本発明では、冷蔵庫等の本体の前方開口に上下に配置したヒンジ板のヒンジシャフトにて回動自在に枢支され、前記開口を開閉自在に閉塞する内部に発泡断熱材を充填した扉を設けた冷蔵庫等の扉体において、前記ヒンジシャフトに発泡断熱材内に埋め込まれる断面コ字状の止め板を嵌合させ、前記ヒンジシャフトと扉との結合強度を向上させるようにしている。
【発明の効果】
【０００７】
この発明によれば、冷蔵庫等の本体の前方開口に上下に配置したヒンジ板のヒンジシャフトにて回動自在に枢支され、前記開口を開閉自在に閉塞する内部に発泡断熱材を充填した扉を設けた冷蔵庫等の扉体において、前記ヒンジシャフトに発泡断熱材内に埋め込まれる断面コ字状の止め板を嵌合させたので、前記ヒンジシャフトを止め板で係止して扉との結合強度を向上し、開閉動作によって下ヒンジと扉とのガタツキを防止できる。
【発明を実施するための最良の形態】
【０００８】
本発明では、冷蔵庫等の本体の前方開口に上下に配置したヒンジ板のヒンジシャフトにて回動自在に枢支され、前記開口を開閉自在に閉塞する内部に発泡断熱材を充填した扉を設けた冷蔵庫等の扉体において、前記ヒンジシャフトに発泡断熱材内に埋め込まれる断面コ字状の止め板を嵌合させ、前記ヒンジシャフトと扉との結合強度を向上させるようにしている。
【実施例１】
【０００９】
以下この発明を図に基づいて説明する。
【００１０】
図１はこの発明の一実施例を示す冷蔵庫の斜視図である。図２はこの発明の下ヒンジ板に扉の扉キャップを取り付けた状態を示す平面図である。図３は図２のI−I線方向に切断した断面図である。図４は図２のII−II線方向に切断した断面図である。図５はこの発明の止め板の斜視図である。図６はこの発明の止め板の平面図である。図７はこの発明の止め板の正面図である。図８はこの発明の止め板の底面図である。
【００１１】
１は冷蔵庫で、この冷蔵庫は前方に開口する鋼板製の外箱２と、この外箱内に間隔を存して組み込まれる前方に開口する硬質合成樹脂製の内箱３と、両箱２，３間に現場発泡方式にて充填される発泡ポリウレタン断熱材４とから本体５が構成されている。内箱３は仕切壁６、７にて上下に区画され、上側に冷蔵室８が、中側に２段の冷凍室９が、下側に野菜室１０が形成されている。そして、冷蔵室８の前面開口は回動する扉１１で、冷凍室９の前面開口は引き出し用の扉１２で、野菜室１０の前面開口は引き出し用の扉１３にて開閉自在に閉塞されている。
【００１２】
扉１１は鋼板製の外装板１４と硬質合成樹脂製の内板１５と上扉キャップ１６と下扉キャップ１７とこれらの内部に現場発泡方式にて充填される発泡ポリウレタン断熱材１８とで形成されている。扉１１の外装板１４には把手１９が設けられている。扉１１は、その上下端部の一側に上ヒンジ２０と下ヒンジ２１とで本体５に回動自在に取り付けられている。
【００１３】
上ヒンジ２０と下ヒンジ２１とには扉１１の上扉キャップ１６と下扉キャップ１７とを貫通して挿入される下向きのヒンジシャフト２２と上向きのヒンジシャフト２３とが夫々設けられている。
【００１４】
２４は下ヒンジ２１のヒンジシャフト２３を係止する止め板で、この止め板は上止め部２５と、下止め部２６と、これらの止め部を連結する連結部２７とでコ字状に形成されている。下止め部２６には下扉キャップ１７に固定される位置決めピン２８の挿入される孔２９と、固定用のネジ３０のタップ孔３１と、ヒンジシャフト２３の通る筒状突起３２に嵌合される孔３３とが設けられている。上止め部２５にはヒンジシャフト２３の上端が挿入される孔３４が設けられている。
【００１５】
３５は冷蔵室８内を上下に複数段に分ける複数の棚である。３６は扉１１の内側に設けられた瓶や卵等の小物を収納するポケットである。３７は冷凍室９内に収納され扉１２によって引き出される取り外し自在な収納容器である。３８は野菜室１０内に収納され扉１３によって引き出される取り外し自在な収納容器である。３９は扉１１、１２、１３の内側周縁に設けられたガスケットである。
【００１６】
冷蔵室８、冷凍室９及び野菜室１０を形成する内箱３、扉１１の内板１５、扉１２の内板４０、扉１３の内板４１、冷蔵室８の複数の棚３５、扉１１のポケット３６、冷凍室９内に収納される収納容器３７、野菜室１０内に収納される収納容器３８、各扉１１、１２、１３に設けられたガスケット３９等は銀ゼオライト等の抗菌剤を配合した材料で形成されている。
【００１７】
このように構成された冷蔵庫の扉体において、扉１１の製造と取付方を説明する。まず、下扉キャップ１７に止め板２４を位置決めピン２８に合わせてセットし、この止め板の下止め部２６のタップ孔３１にネジ３０を螺合させて止め板２４を固定する。そして、外装板１４と内板１５とを組み合わせ上下に上扉キャップ１６と下扉キャップ１７とをはめ合わせ内部に現場発泡方式で充填された発泡ポリウレタン断熱材４で扉１１が形成され、この扉を本体に取り付けられた上ヒンジ２０と下ヒンジ２１とのヒンジシャフト２２、２３に係止して扉１１が取り付けられる。
【００１８】
下ヒンジ２１のヒンジシャフト２３は扉１１内の硬化した発泡ポリウレタン断熱材４で保持される止め板２４の下止め部２６の孔３３と上止め部２５の孔３４とに挿通され、上下２箇所で保持される。
【００１９】
止め板２４は上止め部２５と下止め部２６とこれらを連結する連結部２７とでコ字状に形成することにより、扉１１の開閉時にヒンジシャフト２３に加わる捻り荷重を分散させることができるとともに、上止め部２５の変形を連結部２７で防止し、扉１１の開閉時の回転荷重によるこの扉と下ヒンジ２１とのガタツキを抑えられるようにしている。
【００２０】
冷蔵庫１は内箱３、内板１５、４０及び４１、棚３５、ポケット３６、収納容器３７及び３８、ガスケット３９等の人の手指の接触する部品に銀ゼオライトの抗菌剤を若干含有させることにより、手指から雑菌等が付着しても繁殖しないようにされている。
【図面の簡単な説明】
【００２１】
【図１】この発明の一実施例を示す冷蔵庫の斜視図である。
【図２】この発明の下ヒンジ板に扉の扉キャップを取り付けた状態を示す平面図である。
【図３】図２のI−I線方向に切断した断面図である。
【図４】図２のII−II線方向に切断した断面図である。
【図５】この発明の止め板の斜視図である。
【図６】この発明の止め板の平面図である。
【図７】この発明の止め板の正面図である。
【図８】この発明の止め板の底面図である。
【符号の説明】
【００２２】
１  冷蔵庫
１１  扉
１８  断熱材
２０  上ヒンジ
２１  下ヒンジ
２２、２３  ヒンジシャフト
２４  止め板
【図１】
2004239607.tif 000003
【図２】
2004239607.tif 000004
【図３】
2004239607.tif 000005
【図４】
2004239607.tif 000006
【図５】
2004239607.tif 000007
【図６】
2004239607.tif 000008
【図７】
2004239607.tif 000009
【図８】
2004239607.tif 000010